(57)【要約】【課題】汚れ除去性能が短時間において実感でき、顧客に汚れ除去性能を明確に伝え、洗浄剤の販売が促進されるようにする。【解決手段】所定度合いの汚れＤが付いた物品Ｇに洗浄剤体２５を装着し、物品Ｇの実際使用における環境とほぼ同環境において、物品Ｇに洗浄剤体２５を装着した状態を連続して汚れＤを除去させ、連続状態を連続撮像して映像データを作成し、映像データを早送り再生して表示して汚れ除去性能を伝達表示する。【選択図】図１
2017220888.tif 000002
【特許請求の範囲】
【請求項１】
所定度合いの汚れが付いた物品に洗浄剤体を装着し、
前記物品の実際使用における環境とほぼ同環境において、前記物品に前記洗浄剤体を装着した状態を連続して前記汚れを除去させ、
前記連続状態を連続撮像して映像データを作成し、
前記映像データを早送り再生して表示し、
て行うことを特徴とする汚れ除去性能の伝達表示方法。
【請求項２】
全体が機器の立体模倣形態であり表示開口を備える外装体と、
前記外装体内に装着され、その表示画面において前記表示開口を通して前記機器で使用される物品を、洗浄剤体による汚れ除去性能が確認できるように映像表示する電子表示器と、
から構成されることを特徴とする汚れ除去性能の伝達表示装置。
【発明の詳細な説明】
【技術分野】
【０００１】
この発明は、洗浄剤の汚れ除去性能の伝達表示に関する。
【背景技術】
【０００２】
例えば、流し台のシンク排水穴に装着使用されるごみカゴは使用に伴ってヌメリ状の汚れが付着し、この汚れは洗浄剤を使用することで除去される。このような洗浄剤はスーパーマーケットやドラッグストアで販売されており、その汚れ除去性能はポスターやチラシで知ることができ、また、販売員の説明によって知らされる。
【発明の概要】
【発明が解決しようとする課題】
【０００３】
しかしながら、そのように知らされることで洗浄剤の汚れ除去性能を認識するには、時間、手間がかかり、認識した場合にも汚れ除去性能が実感できない問題があった。
【０００４】
この発明では、汚れ除去性能が容易に実感できるようにし、顧客に汚れ除去性能を明確に伝え、洗浄剤の販売が促進されるようにすることを目的とする。
【課題を解決するための手段】
【０００５】
この発明（請求項１の発明）では、所定度合いの汚れが付いた物品に洗浄剤体を装着し、前記物品の実際使用における環境とほぼ同環境において、前記物品に前記洗浄剤体を装着した状態を連続して前記汚れを除去させ、前記連続状態を連続撮像して映像データを作成し、前記映像データを早送り再生して表示して行うことを特徴とする汚れ除去性能の伝達表示方法を提供する。
【０００６】
上記方法によれば、物品に付いた汚れが物品の実際の使用に伴う場合と同様にして、洗浄剤体により除去されていく様子が早送りの映像によって短時間で見ることができ、これにより洗浄剤体による除去性能が実感される。
【０００７】
また、この発明（請求項２の発明）では、全体が機器の立体模倣形態であり表示開口を備える外装体と、前記外装体内に装着され、その表示画面において前記表示開口を通して前記機器で使用される物品を、洗浄剤体による汚れ除去性能が確認できるように映像表示する電子表示器とから構成されることを特徴とする汚れ除去性能の伝達表示装置を提供する。
【０００８】
上記装置によれば、物品に付いた汚れが洗浄剤体により除去されていくことが電子表示器の表示画面の映像によって見ることができ、これにより洗浄剤体による除去性能が実感される。とくに、電子表示器が機器の立体模倣形態を持つ外装体内にあることで顧客の目を引くとともに、その洗浄対象が機器で使用される物品であることも一目で判明する。
【０００９】
外装体は適宜の材料により制作できるが、厚紙を切り抜き、折り曲げ、貼り付けることで容易に、かつ安価に制作できる。外装体は、平面形態、立体の適宜形態であってよい。
【発明の効果】
【００１０】
請求項１の発明によれば、汚れ除去性能が早送り映像により短時間において見ることで実感でき、顧客に汚れ除去性能を明確に伝えることができるようになって、洗浄剤の販売が促進される。請求項２の発明によれば、汚れ除去性能が映像を見ることで実感でき、顧客に汚れ除去性能を明確に伝えることができるようになって、洗浄剤の販売が促進されるとともに、電子表示器が機器の立体模倣形態を持つ外装体内にある形態により宣伝効果が増大される。
【図面の簡単な説明】
【００１１】
【図１】この発明の汚れの除去性能の伝達表示装置の実施形態の斜視図
【図２】この発明の汚れの除去性能の伝達表示装置の実施形態の分解斜視図
【図３】この発明の汚れの除去性能の伝達表示装置で映像される映像データを作成するための撮像装置の構成略図
【図４】この発明の汚れの除去性能の伝達表示装置における映像図
【図５】この発明の汚れの除去性能の伝達表示装置における映像図
【図６】この発明の汚れの除去性能の伝達表示装置における映像図
【図７】この発明の汚れの除去性能の伝達表示装置における映像図
【図８】この発明の汚れの除去性能の伝達表示装置における映像図
【発明を実施するための最良の形態】
【００１２】
図１は汚れの除去性能の伝達表示装置の実施形態の斜視図、図２は同分解斜視図である。伝達表示装置１は外装体２とその内部に装着される電子表示器４とから構成される。外装体２は厚紙により形成され、その全体が厨房で使用される流し台の立体模倣形態を持つ。外装体２の一方側面に電子表示器４の装着用開口５が設けられている。電子表示器４は薄型で前面に表示画面８を備え、その表示画面８が表示開口６に臨むよう外装体２内に装着使用される。電子表示器４の表示画面８には流し台のシンクの配水部に装着使用されるごみカゴＧの映像１０が表示される。
【００１３】
上記伝達表示装置１による汚れの除去性能の伝達表示は電子表示器４の表示画面８の映像１０によってなされ、その映像データは次に説明するように予め作成される。
【００１４】
図３は映像データ作成するための撮像装置１８の構成を示す。２０は透明の樹脂成形品よりなる撮像用具であり、円筒凹部２２とその上部開口縁から水平に延び出すプレート部２７とを備え、円筒凹部２２の下端からは排水パイプ２４が延び出している。排水パイプ２４の上端部は円筒凹部２２底面から上方に突出して位置し、円筒凹部２２の途中高さには排水口２３が設けられている。円筒凹部22は流し台のシンクの円筒形状の排水凹部に相当し、プレート部２７はシンクの底板に相当する形態となっている。円筒凹部２２内に実際のごみカゴＧが配水パイプ２４の上端部に載置されて配置され、そのごみカゴＧ内に実際の洗浄剤体２５が納められている。ごみカゴＧとしては実際の使用の際に付着するのと同等のヌメリ汚れＤが付着したものが用いられる。洗浄剤体２５は通水穴が形成されたケース内に固形洗浄剤が納められたものが使用される。２８は給水パイプで、この給水パイプ２８からの水がプレート部２７上を通ってごみカゴＧ内に給水されることで洗浄剤体２５のケース内の固形洗浄剤が溶け、その溶け出した洗浄液によってごみカゴＧに付着するヌメリ汚れＤが除去される。３０、３１のそれぞれは撮像カメラで、撮像カメラ３０はごみカゴＧ内部を上方から撮影し、撮像カメラ３１はごみカゴＧの側面を撮像するように設けられている。
【００１５】
撮像は、撮像カメラ３０、撮像カメラ３１により、ヌメリ汚れＤが除去されていく、例えば、３日間連続して行う。その３日間においては所定の時間帯において所定量の給水を行う。この給水は実験結果によって知られる流し台の実際使用における水の使用状態とほぼ同様となるように行う。給水に際しては、実際使用の場合とほぼ同様に、水はシンクの底板に相当する部２７上を通ってごみカゴＧ内に至り、また、撮像用具２０の円筒凹部２２の途中高さに排水口２３が設けられていることで、実際使用の場合とほぼ同様に、その高さまでごみカゴＧの下部が水に浸かるようになっている。このようにして３日間においてヌメリ汚れＤが除去されていく状態を連続して撮像し、その映像データを作成する。
【００１６】
電子表示器４では、早送り再生することで、撮像カメラ３１で得られた３日間のごみカゴＧの側面映像データを、３０秒間で表示画面８に連続して再生表示する。図４はその前段（撮影１日目）初期における映像、図５は中段（撮影２日目）中期における映像、図６は後段（撮影３日目）後記における映像であり、このような連続映像を見ることでヌメリ汚れＤが除去されていくことが実感できる。映像データに日にちデータを書き込んでおくことで、「１日目」、「２日目」、「３日目」のテロップ表示４０が行われ、これにより日にち経過に伴うヌメリ汚れＤの除去状態が確認される。リモートスイッチにおける表示切替操作により、撮像カメラ３０で得られたごみカゴＧの内部映像データの再生表示が図７に示すように可能で、また、側面映像データと内部映像データとを並設して図８に示すように同期再生表示することも可能であり、それぞれの再生表示画面を適宜見ることでヌメリ汚れの除去性能がより明瞭に把握される。
【００１７】
また、再生表示画面８において映像を表示する電子表示器４が流し台の立体模倣形態を持つ外装体２内に納められていることで、顧客の目を引くとともに、その洗浄対象物品が流し台で使用されるごみカゴＧであることも一目で判明し、これによりヌメリ汚れの除去性能の宣伝効果が倍増される。
【符号の説明】
【００１８】
１  汚れの除去性能の伝達表示装置
２  外装体
４  電子表示器
６  表示開口
８  表示画面
２５  洗浄剤体
Ｇ  ごみカゴ（物品）
【図１】
2017220888.tif 000003
【図２】
2017220888.tif 000004
【図３】
2017220888.tif 000005
【図４】
2017220888.tif 000006
【図５】
2017220888.tif 000007
【図６】
2017220888.tif 000008
【図７】
2017220888.tif 000009
【図８】
2017220888.tif 000010